(57)【特許請求の範囲】
【請求項１】
歯周治療を支援する歯周治療支援システムであって、
治療項目を示す複数の図形からなる歯周治療の基本フローチャートを記憶する記憶手段と、
過去に行った歯科治療の処置データを患者毎に記憶する処置データ記憶手段と、
前記処置データ記憶手段の所定の患者の処置データを用いて、前記基本フローチャートにおける現在の治療項目と、過去に行った治療項目と、次に進むことが可能な治療項目とを特定し、特定した現在の治療項目の図形を第１の色で、過去に行った治療項目の図形を第２の色で、次に進むことが可能な治療項目の図形を第３の色で着色し、前記患者の治療状態に応じた歯周治療のフローチャートを生成するフロー生成手段と、
前記フロー生成手段が生成したフローチャートを表示する表示手段と、
前記処置データ記憶手段の前記所定の患者の処置データから直近の歯周治療に関する処置データを抽出し、抽出した処置データを用いて歯周治療情報を生成する治療情報生成手段と、を有し、
前記表示手段は、前記フロー生成手段が生成したフローチャートと、前記治療情報生成手段が生成した歯周治療情報とを、１つの画面で表示すること
を特徴とする歯周治療支援システム。
【請求項２】
歯周治療を支援する歯周治療支援システムであって、
治療項目を示す複数の図形からなる歯周治療の基本フローチャートを記憶する記憶手段と、
過去に行った歯科治療の処置データを患者毎に記憶する処置データ記憶手段と、
前記処置データ記憶手段の所定の患者の処置データを用いて、前記基本フローチャートにおける現在の治療項目と、過去に行った治療項目と、次に進むことが可能な治療項目とを特定し、特定した現在の治療項目の図形を第１の色で、過去に行った治療項目の図形を第２の色で、次に進むことが可能な治療項目の図形を第３の色で着色し、前記患者の治療状態に応じた歯周治療のフローチャートを生成するフロー生成手段と、
前記フロー生成手段が生成したフローチャートを表示する表示手段と、
過去に行った歯周組織検査の検査情報を患者毎に記憶する検査情報記憶手段と、を有し、
前記フロー生成手段は、特定した現在の治療項目または過去に行った治療項目に歯周組織検査が含まれている場合、当該歯周組織検査の治療項目の図形に、前記検査情報記憶手段から取得した対応する検査値を設定すること
を特徴とする歯周治療支援システム。
【請求項３】
歯周治療を支援する歯周治療支援方法であって、
コンピュータは、
治療項目を示す複数の図形からなる歯周治療の基本フローチャートを記憶する記憶部と、
過去に行った歯科治療の処置データを患者毎に記憶する処置データ記憶部と、を有し、
前記処置データ記憶部の所定の患者の処置データを用いて、前記基本フローチャートにおける現在の治療項目と、過去に行った治療項目と、次に進むことが可能な治療項目とを特定する特定ステップと、
特定した現在の治療項目の図形を第１の色で、過去に行った治療項目の図形を第２の色で、次に進むことが可能な治療項目の図形を第３の色で着色し、前記患者の治療状態に応じた歯周治療のフローチャートを生成するフロー生成ステップと、
前記フロー生成ステップで生成したフローチャートを表示する表示ステップと、を行い、
前記コンピュータは、前記処置データ記憶部の前記所定の患者の処置データから直近の歯周治療に関する処置データを抽出し、抽出した処置データを用いて歯周治療情報を生成する治療情報生成ステップを、さらに行い、
前記表示ステップは、前記フロー生成ステップで生成したフローチャートと、前記治療情報生成ステップで生成した歯周治療情報とを、１つの画面で表示すること
を特徴とする歯周治療支援方法。
【請求項４】
歯周治療を支援する歯周治療支援方法であって、
コンピュータは、
治療項目を示す複数の図形からなる歯周治療の基本フローチャートを記憶する記憶部と、
過去に行った歯科治療の処置データを患者毎に記憶する処置データ記憶部と、を有し、
前記処置データ記憶部の所定の患者の処置データを用いて、前記基本フローチャートにおける現在の治療項目と、過去に行った治療項目と、次に進むことが可能な治療項目とを特定する特定ステップと、
特定した現在の治療項目の図形を第１の色で、過去に行った治療項目の図形を第２の色で、次に進むことが可能な治療項目の図形を第３の色で着色し、前記患者の治療状態に応じた歯周治療のフローチャートを生成するフロー生成ステップと、
前記フロー生成ステップで生成したフローチャートを表示する表示ステップと、を行い、
前記コンピュータは、過去に行った歯周組織検査の検査情報を患者毎に記憶する検査情報記憶部をさらに有し、
前記フロー生成ステップは、特定した現在の治療項目または過去に行った治療項目に歯周組織検査が含まれている場合、当該歯周組織検査の治療項目の図形に、前記検査情報記憶部から取得した対応する検査値を設定すること
を特徴とする歯周治療支援方法。
【請求項５】
コンピュータが実行する歯周治療支援プログラムであって、
前記コンピュータは、
治療項目を示す複数の図形からなる歯周治療の基本フローチャートを記憶する記憶部と、
過去に行った歯科治療の処置データを患者毎に記憶する処置データ記憶部と、を有し、
前記コンピュータに、
前記処置データ記憶部の所定の患者の処置データを用いて、前記基本フローチャートにおける現在の治療項目と、過去に行った治療項目と、次に進むことが可能な治療項目とを特定する特定ステップと、
特定した現在の治療項目の図形を第１の色で、過去に行った治療項目の図形を第２の色で、次に進むことが可能な治療項目の図形を第３の色で着色し、前記患者の治療状態に応じた歯周治療のフローチャートを生成するフロー生成ステップと、
前記フロー生成ステップで生成したフローチャートを表示する表示ステップと、を実行させ、
前記コンピュータに、
前記処置データ記憶部の前記所定の患者の処置データから直近の歯周治療に関する処置データを抽出し、抽出した処置データを用いて歯周治療情報を生成する治療情報生成ステップを、さらに実行させ、
前記表示ステップは、前記フロー生成ステップで生成したフローチャートと、前記治療情報生成ステップで生成した歯周治療情報とを、１つの画面で表示すること
を特徴とする歯周治療支援プログラム。
【請求項６】
コンピュータが実行する歯周治療支援プログラムであって、
前記コンピュータは、
治療項目を示す複数の図形からなる歯周治療の基本フローチャートを記憶する記憶部と、
過去に行った歯科治療の処置データを患者毎に記憶する処置データ記憶部と、を有し、
前記コンピュータに、
前記処置データ記憶部の所定の患者の処置データを用いて、前記基本フローチャートにおける現在の治療項目と、過去に行った治療項目と、次に進むことが可能な治療項目とを特定する特定ステップと、
特定した現在の治療項目の図形を第１の色で、過去に行った治療項目の図形を第２の色で、次に進むことが可能な治療項目の図形を第３の色で着色し、前記患者の治療状態に応じた歯周治療のフローチャートを生成するフロー生成ステップと、
前記フロー生成ステップで生成したフローチャートを表示する表示ステップと、を実行させ、
前記コンピュータは、
過去に行った歯周組織検査の検査情報を患者毎に記憶する検査情報記憶部をさらに有し、
前記フロー生成ステップは、特定した現在の治療項目または過去に行った治療項目に歯周組織検査が含まれている場合、当該歯周組織検査の治療項目の図形に、前記検査情報記憶部から取得した対応する検査値を設定すること
を特徴とする歯周治療支援プログラム。
【発明の詳細な説明】
【技術分野】
【０００１】
本発明は、歯周治療を支援する歯周治療支援システム、歯周治療支援方法、および歯周治療支援プログラムに関する。
【背景技術】
【０００２】
近年のコンピュータ技術の発達により、コンピュータの小型化が進み、各種の分野においてコンピュータが使用されるようになっている。歯科治療の分野においても同様であり、患者ごとの歯科診療情報をコンピュータに入力し、随時読み出すことができるものが登場してきている。例えば、特許文献１には、患者毎の歯科治療情報を登録し、登録データを処理する歯科治療処理装置が記載されている。
【先行技術文献】
【特許文献】
【０００３】
【特許文献１】特開平９−１３１３５６号公報
【発明の概要】
【発明が解決しようとする課題】
【０００４】
さて、歯周病は、比較的長期にわたって治療を行う必要がある。そのため、歯科医師は、歯周治療の患者を診察する際に、過去の治療の経緯や歯周の検査結果などを診療録（カルテ）から拾って、今回行う治療や治療方針を決定する。
【０００５】
しかしながら、長期にわたって歯周治療を継続している患者の場合、当該患者の診療録は大量であり、また、診療録には歯周治療に必要のない情報も多数含まれているため、歯周治療に必要な情報に辿りつくのに時間がかかってしまう。また、診療録から歯周治療に必要な情報を見落としてしまうおそれがある。
【０００６】
また、歯科医師は、長期にわたる歯周治療の中で、現在の治療がどの段階まで進んでいるのかを把握した上で、今後の治療計画を決定する。しかしながら、大量の診療録を辿って現在の治療の段階を把握し、治療計画を決定することは、時間および手間が係る作業であり、また、歯科医師の経験を要するものである。
【０００７】
本発明は上記事情に鑑みてなされたものであり、本発明の目的は、診療前に歯周治療がどの段階まで進んでいるかを容易に短時間で取得し、歯周治療を支援する歯周治療支援システム、歯周治療支援方法、および歯周治療支援プログラムを提供することにある。
【課題を解決するための手段】
【０００８】
上記課題を解決するために、本発明は、歯周治療を支援する歯周治療支援システムであって、治療項目を示す複数の図形からなる歯周治療の基本フローチャートを記憶する記憶手段と、過去に行った歯科治療の処置データを患者毎に記憶する処置データ記憶手段と、前記処置データ記憶手段の所定の患者の処置データを用いて、前記基本フローチャートにおける現在の治療項目と、過去に行った治療項目と、次に進むことが可能な治療項目とを特定し、特定した現在の治療項目の図形を第１の色で、過去に行った治療項目の図形を第２の色で、次に進むことが可能な治療項目の図形を第３の色で着色し、前記患者の治療状態に応じた歯周治療のフローチャートを生成するフロー生成手段と、前記フロー生成手段が生成したフローチャートを表示する表示手段と、前記処置データ記憶手段の前記所定の患者の処置データから直近の歯周治療に関する処置データを抽出し、抽出した処置データを用いて歯周治療情報を生成する治療情報生成手段と、を有し、前記表示手段は、前記フロー生成手段が生成したフローチャートと、前記治療情報生成手段が生成した歯周治療情報とを、１つの画面で表示する。
また、本発明は、歯周治療を支援する歯周治療支援システムであって、治療項目を示す複数の図形からなる歯周治療の基本フローチャートを記憶する記憶手段と、過去に行った歯科治療の処置データを患者毎に記憶する処置データ記憶手段と、前記処置データ記憶手段の所定の患者の処置データを用いて、前記基本フローチャートにおける現在の治療項目と、過去に行った治療項目と、次に進むことが可能な治療項目とを特定し、特定した現在の治療項目の図形を第１の色で、過去に行った治療項目の図形を第２の色で、次に進むことが可能な治療項目の図形を第３の色で着色し、前記患者の治療状態に応じた歯周治療のフローチャートを生成するフロー生成手段と、前記フロー生成手段が生成したフローチャートを表示する表示手段と、過去に行った歯周組織検査の検査情報を患者毎に記憶する検査情報記憶手段と、を有し、前記フロー生成手段は、特定した現在の治療項目または過去に行った治療項目に歯周組織検査が含まれている場合、当該歯周組織検査の治療項目の図形に、前記検査情報記憶手段から取得した対応する検査値を設定する。
【０００９】
また、本発明は、歯周治療を支援する歯周治療支援方法であって、コンピュータは、治療項目を示す複数の図形からなる歯周治療の基本フローチャートを記憶する記憶部と、過去に行った歯科治療の処置データを患者毎に記憶する処置データ記憶部と、を有し、前記処置データ記憶部の所定の患者の処置データを用いて、前記基本フローチャートにおける現在の治療項目と、過去に行った治療項目と、次に進むことが可能な治療項目とを特定する特定ステップと、特定した現在の治療項目の図形を第１の色で、過去に行った治療項目の図形を第２の色で、次に進むことが可能な治療項目の図形を第３の色で着色し、前記患者の治療状態に応じた歯周治療のフローチャートを生成するフロー生成ステップと、前記フロー生成ステップで生成したフローチャートを表示する表示ステップと、を行い、前記コンピュータは、前記処置データ記憶部の前記所定の患者の処置データから直近の歯周治療に関する処置データを抽出し、抽出した処置データを用いて歯周治療情報を生成する治療情報生成ステップを、さらに行い、前記表示ステップは、前記フロー生成ステップで生成したフローチャートと、前記治療情報生成ステップで生成した歯周治療情報とを、１つの画面で表示する。
また、本発明は、歯周治療を支援する歯周治療支援方法であって、コンピュータは、治療項目を示す複数の図形からなる歯周治療の基本フローチャートを記憶する記憶部と、過去に行った歯科治療の処置データを患者毎に記憶する処置データ記憶部と、を有し、前記処置データ記憶部の所定の患者の処置データを用いて、前記基本フローチャートにおける現在の治療項目と、過去に行った治療項目と、次に進むことが可能な治療項目とを特定する特定ステップと、特定した現在の治療項目の図形を第１の色で、過去に行った治療項目の図形を第２の色で、次に進むことが可能な治療項目の図形を第３の色で着色し、前記患者の治療状態に応じた歯周治療のフローチャートを生成するフロー生成ステップと、前記フロー生成ステップで生成したフローチャートを表示する表示ステップと、を行い、前記コンピュータは、過去に行った歯周組織検査の検査情報を患者毎に記憶する検査情報記憶部をさらに有し、前記フロー生成ステップは、特定した現在の治療項目または過去に行った治療項目に歯周組織検査が含まれている場合、当該歯周組織検査の治療項目の図形に、前記検査情報記憶部から取得した対応する検査値を設定する。
【００１０】
また、本発明は、コンピュータが実行する歯周治療支援プログラムであって、前記コンピュータは、治療項目を示す複数の図形からなる歯周治療の基本フローチャートを記憶する記憶部と、過去に行った歯科治療の処置データを患者毎に記憶する処置データ記憶部と、を有し、前記コンピュータに、前記処置データ記憶部の所定の患者の処置データを用いて、前記基本フローチャートにおける現在の治療項目と、過去に行った治療項目と、次に進むことが可能な治療項目とを特定する特定ステップと、特定した現在の治療項目の図形を第１の色で、過去に行った治療項目の図形を第２の色で、次に進むことが可能な治療項目の図形を第３の色で着色し、前記患者の治療状態に応じた歯周治療のフローチャートを生成するフロー生成ステップと、前記フロー生成ステップで生成したフローチャートを表示する表示ステップと、を実行させ、前記コンピュータに、前記処置データ記憶部の前記所定の患者の処置データから直近の歯周治療に関する処置データを抽出し、抽出した処置データを用いて歯周治療情報を生成する治療情報生成ステップを、さらに実行させ、前記表示ステップは、前記フロー生成ステップで生成したフローチャートと、前記治療情報生成ステップで生成した歯周治療情報とを、１つの画面で表示する。
また、本発明は、コンピュータが実行する歯周治療支援プログラムであって、前記コンピュータは、治療項目を示す複数の図形からなる歯周治療の基本フローチャートを記憶する記憶部と、過去に行った歯科治療の処置データを患者毎に記憶する処置データ記憶部と、を有し、前記コンピュータに、前記処置データ記憶部の所定の患者の処置データを用いて、前記基本フローチャートにおける現在の治療項目と、過去に行った治療項目と、次に進むことが可能な治療項目とを特定する特定ステップと、特定した現在の治療項目の図形を第１の色で、過去に行った治療項目の図形を第２の色で、次に進むことが可能な治療項目の図形を第３の色で着色し、前記患者の治療状態に応じた歯周治療のフローチャートを生成するフロー生成ステップと、前記フロー生成ステップで生成したフローチャートを表示する表示ステップと、を実行させ、前記コンピュータは、過去に行った歯周組織検査の検査情報を患者毎に記憶する検査情報記憶部をさらに有し、前記フロー生成ステップは、特定した現在の治療項目または過去に行った治療項目に歯周組織検査が含まれている場合、当該歯周組織検査の治療項目の図形に、前記検査情報記憶部から取得した対応する検査値を設定する。
【発明の効果】
【００１１】
本発明によれば、診療前に歯周治療がどの段階まで進んでいるかを容易に短時間で取得し、歯周治療を支援する歯周治療支援システム、歯周治療支援方法、および歯周治療支援プログラムを提供することできる。
【図面の簡単な説明】
【００１２】
【図１】本発明の実施の形態に係る歯周治療支援システムの概略構成図である。
【図２】歯周治療の流れを示す基本フローチャートの一例である。
【図３】画面の一例を示す図である。
【図４】治療データの一例を示す図である。
【図５】変換テーブルの一例を示す図である。
【図６】歯周治療の流れを生成する処理のフロー図である。
【図７】表示条件テーブル（その１）の一例を示す図である。
【図８】表示条件テーブル（その２）の一例を示す図である。
【図９】表示条件テーブル（その３）の一例を示す図である。
【図１０】表示条件テーブル（その４）の一例を示す図である。
【図１１】表示条件テーブル（その５）の一例を示す図である。
【図１２】詳細な検査情報の一例を示す図である。
【図１３】フローチャートの治療を行った部位の表示例である。
【図１４】画面の他の例を示す図である。
【発明を実施するための形態】
【００１３】
以下、本発明の実施の形態を、図面を用いて説明する。
【００１４】
本実施形態では、歯科医師が患者を診察・治療する際に用いる画面上に、歯周治療がどの段階まで進んでいるのかを視覚的に表示するものとする。
【００１５】
図１は、本実施形態の歯周治療支援システム１の構成図である。図示する歯周治療支援システム１は、治療情報生成部１１と、フロー生成部１２と、表示部１３と、処置データ記憶部１５と、検査情報記憶部１６と、変換テーブル１７と、表示条件テーブル１８と、基本フロー記憶部１９とを備える。
【００１６】
治療情報生成部１１は、処置データ記憶部１５の所定の患者の処置データから直近の歯周治療に関する処置データを抽出し、抽出した処置データを用いて歯周治療情報を生成する。
【００１７】
フロー生成部１２は、処置データ記憶部１５の所定の患者の処置データを用いて、歯周治療のフローチャートにおける現在の治療項目と、過去に行った治療項目と、次に進むことが可能な治療項目とを特定し、特定した現在の治療項目の図形を第１の色で、過去に行った治療項目の図形を第２の色で、次に進むことが可能な治療項目の図形を第３の色で着色し、当該患者の治療状態に応じた歯周治療のフローチャートを生成する。また、フロー生成部１２は、現在の治療項目または過去に行った治療項目に歯周組織検査が含まれている場合、当該歯周組織検査の治療項目の図形に、検査情報記憶部１６から取得した対応する検査値を設定する。
【００１８】
表示部１３は、フロー生成部１２が生成したフローチャートと、治療情報生成部１１が生成した歯周治療情報とを、１つの画面で表示する。なお、表示部１３は、フロー生成部１２が生成したフローチャートのみを画面に表示することとしてもよい。
【００１９】
処置データ記憶部１５には、過去に行った歯科治療の処置データが患者毎に記憶される。検査情報記憶部１６には、過去に行った歯周組織検査の検査情報が患者毎に記憶される。変換テーブル１７は、各処置と分類とを対応付けたテーブルである。表示条件テーブル１８は、歯周治療のフローチャートの各図形をどの色に着色するの条件が設定されたテーブルである。
【００２０】
基本フロー記憶部１９には、基本的な歯周治療の流れを示すフローチャート（以下、「基本フローチャート」という）が記憶されている。基本フローチャートには、歯周治療に必要な複数の治療項目（治療ステップ、治療段階）、および順番が表現されている。
【００２１】
以上説明した歯周治療支援システム１は、少なくともＣＰＵ（中央演算装置）とメモリ（主記憶装置）とを備えた汎用的なコンピュータシステムを用いることができる。このコンピュータシステムにおいて、ＣＰＵがメモリ上にロードされた、歯周治療支援システム１用のプログラムを実行することにより、各機能が実現される。また、歯周治療支援システム１は、ハードディスク等の記憶装置と、入力装置と、ディスプレイやプリンタなどの出力装置とを備えるものとする。
【００２２】
また、歯周治療支援システム１の各種処理を実行するプログラムは、メモリまたは記憶装置に格納されているものである。そして、このプログラムは、ハードディスク、フレキシブルディスク、ＣＤ、ＭＯなどのコンピュータ読み取り可能な記録媒体に記録することも、ネットワークを介して配信することも可能である。
【００２３】
図２は、基本フロー記憶部１９に記憶される基本フローチャートの一例を示す図である。図示する基本フローチャートの歯周治療は、「初診」、「検査１（歯周組織検査１）」、「スケーリング」、「検査２（歯周組織検査２）」、「再スケーリング」、「ＳＲＰ（スケーリング・ルートプレーニング）・ＰＣｕｒ（歯周ポケット掻爬）」、「検査３（歯周組織検査３）」、「ＳＲＰ・ＰＣｕｒ」、「部分的再評価１」、「外科手術」、「部分的再評価２」、「検査４（歯周組織検査４）」、「ＳＴＰ（プラークコントロール、スケーリング、ＳＲＰ等）」の各治療項目を示す図形（処理ボックス）から構成される。
【００２４】
そして、本実施形態では、後述するように、過去に行った治療の処置データに基づいて、現在の歯周治療が図示する基本フローチャートのどの治療項目（段階）にあるのかを判定し、各治療項目の図形の色を変えて表示する。ここでは、一例として以下のように図形の色を設定するものとする。
【００２５】
［ピンク］  ：過去に行った治療項目
［オレンジ］：現在、行っている治療項目
［ホワイト］：次に進むことができる治療項目
［グレー］  ：次に進むことができない治療項目
図３は、歯周治療支援システム１のディスプレイに表示される画面例である。図示する画面は、処置データ記憶部１５の処置データに基づいて生成した治療情報３１と、歯周治療の流れを示すフローチャート３２とが、１つの画面で表示されている。治療情報３１はは、治療情報生成部１１に生成される最新の歯周治療に関する内容が表示される。
【００２６】
フローチャート３２には、フロー生成部１２により基本フローチャート（図２参照）を用いて生成されたフローチャートが表示される。すなわち、歯周治療の流れの中で当該患者の治療が現在どの段階にあるのかが視覚的に把握できるように、各図形が複数の色で色付けされたフローチャートが表示される。
【００２７】
図示するフローチャート３２では、検査２の図形３４が現在の治療項目であって、当該治療項目であることを示す第１の色（例えば、オレンジ）で表示され、初診からスケーリングの図形３３が過去の治療項目であって、当該治療項目であることを示す第２の色（例えば、ピンク）で表示され、スケーリングおよびＳＲＰ・ＰＣｕｒの図形３５が次の治療項目であって、当該治療項目であることを示す第３の色（例えば、ホワイト）で表示され、検査３からＳＰＴの図形３６が次に進めない治療項目であって、当該治療項目であることを示す第４の色（例えば、グレー）で表示されている。
【００２８】
次に、図３に示す画面の生成処理について説明する。
【００２９】
まず、図３の治療情報３１の生成処理について説明する。治療情報生成部１１は、処置データ記憶部１５の中から、直近の歯周治療に関する処置データを抽出し、抽出した処置データを用いて治療情報３１を生成する。
【００３０】
図４は、処置データ記憶部１５に記憶される処置データの一例を示すものである。処置データ記憶部１５には、患者毎に、当該患者に対して過去に行った処置（治療）の内容が記憶されている。図示する処置データは、処置を行った日付、処置を行った部位、登録行番号、処置項目名称、点数などが含まれる。
【００３１】
登録行番号は、処置毎にあらかじめ定められた番号であって、歯科医が各処置を処置データ記憶部１５に登録する際に、対応する登録行番号が設定される。
【００３２】
治療情報生成部１１は、処置データ記憶部１５を参照し、対象となる患者の処置データの中から歯周治療を行った最新（直近）の日の処置データを抽出する。その際に、治療情報生成部１１は、変換テーブル１７を用いて歯周治療に関する処置データか否かを判別する。
【００３３】
図５は、変換テーブル１７の一例を示す図である。図示する変換テーブル１７は、登録行番号、処置項目名称、歯周治療フラグ、歯周治療の分類が記憶されている。歯周治療フラグは、対応する登録行番号の処置が、歯周治療に関する処理であるか否かを示すフラグである。例えば、歯周治療フラグに「１」が設定されている場合は歯周治療に関する処置であり、歯周治療フラグに「０」が設定されている場合は歯周治療以外の処置であるものとする。
【００３４】
歯科治療の分類は、各処置データを所定のカテゴリーに分類するものであって、フローチャートの生成に必要なものである。具体的には、基本フローチャートにおける各治療項目が、過去の治療項目、現在の治療項目、次の治療項目等であるかを判別するために用いるものである。本実施形態では、「１検査」、「２部分的再評価」、「３ＳＣ（スケーリング）」、「４ＳＲＰ・ＰＣｕｒ」、「５歯周外科」、「６ＳＰＴ」の６つのカテゴリーに分類するものとする。
【００３５】
治療情報生成部１１は、処置データの最新の日付けの各登録行番号毎に、当該登録行番号を検索キーとして変換テーブル１７を検索し、当該登録行番号に対応する歯周治療フラグを取得する。そして、少なくとも１つの登録行番号の歯周治療フラグが歯周治療であることを示す場合、当該日付けの処置データを用いて治療情報３１を生成する。
【００３６】
いずれの登録行番号の歯周治療フラグも歯周治療以外であることを示す場合、次に新しい日付けの各登録行番号毎に、当該登録行番号を検索キーとして変換テーブル１７を検索し、当該登録行番号に対応する歯周治療フラグを取得し、少なくとも１つの登録行番号の歯周治療フラグが歯周治療であることを示す場合、当該日付けの処置データを用いて治療情報３１を生成する。なお、全ての日付けで歯周治療に関する処置データが存在しない場合は、最新の日付けの処置データを用いて治療情報３１を生成する。
【００３７】
次に、図３のフローチャート３２（歯周治療の流れ）の生成処理について説明する。
【００３８】
図６は、歯周治療の流れのフローチャート３２の生成処理を説明するためのフロー図である。まず、フロー生成部１２は、基本フロー記憶部１９に記憶された基本フローチャート（テンプレート）を読み出す（Ｓ１１）。
【００３９】
そして、フロー生成部１２は、変換テーブル１７を用いて、処置データ記憶部１５から対象となる患者の歯周治療に関する処置データおよび初診の処置データを抽出する（Ｓ１２）。歯周治療に関する処置データについては、フロー生成部１２は、当該患者の処置データ毎に、当該処置データの登録行番号を検索キーとして変換テーブル１７を検索し、対応する歯周治療フラグが歯周治療であることを示す処置データを全て抽出する。
【００４０】
また、フロー生成部１２は、抽出した各処置データに、変換テーブル１７の対応する登録行番号のレコードのデータを付加した付加後の処置データを、図示しない付加後処置データ記憶部に記憶する。すなわち、図４に示す処置データに、図５に示す分類などが付加され処置データが付加後処置データ記憶部に記憶される。
【００４１】
そして、フロー生成部１２は、Ｓ１２で抽出し、付加後処置データ記憶部に記憶した処置データに基づいて、Ｓ１１で読み出した基本フローチャートの各治療項目の図形（ボックス）に設定する色を決定し、決定した色で基本フローチャートの各図形を着色する（Ｓ１３）。ここでは、表示条件テーブル１８を用いて、現在の治療項目と、過去に行った治療項目と、次に進むことが可能な治療項目とを特定し、それぞれ異なる色で特定した各治療項目の図形を着色するものとする。なお、その他の治療項目（次に進むことができない治療項目）については、所定の色を着色するものとする。
【００４２】
フロー生成部１２は、付加後処置データ記憶部の処理データを現在から過去に遡って読み込み、表示条件テーブル１８のいずれかの条件を満たすパターンに設定された色で着色する。
【００４３】
図７から図１１は、表示条件テーブルの一例を示すものである。図７から図１１に示する表示条件テーブルでは、パターン１からパターン１３まで設定されている。例えば、パターン１では、初診の処置データが存在するが、歯周治療に関する処置データが存在しない場合（付加後処置データ記憶部に初診の処置データのみが存在する場合）、現在の治療項目は「初診」であると判別し、「初診」の図形を現在の治療項目の色（例えばオレンジ）に、「検査１」の図形を次に進むことができる治療項目の色（例えばホワイト）に、「スケーリング」以下の全ての図形を次に進むことができない治療項目の色（例えばグレー）に決定し、着色する。
【００４４】
なお、初診の処置データが存在しない場合、すなわち、処置データ記憶部１５に対象となる患者の処置データが存在しない場合、現在の治療項目はないと判別し、「初診」の図形を次に進むことができる治療項目の色（例えばホワイト）に、「検査１」以下の全ての図形を次に進むことができない治療項目の色（例えばグレー）に決定し、着色する。
【００４５】
また、パターン２では、付加後処置データ記憶部の処置データを現在から過去に遡って読み込み、初診の処置データまでの間に歯周治療の分類が「１検査」の処置データのみが存在する場合、現時点の治療項目は「検査１」であると判別し、「初診」の図形を過去の治療項目の色（例えばピンク）に、「検査１」の図形を現在の治療項目の色（例えばオレンジ）に、「スケーリング」の図形を次に進むことができる治療項目の色（例えばホワイト）に、「検査２」以下の全ての図形を次に進むことができない治療項目の色（例えばグレー）に決定し、着色する。
【００４６】
また、パターン３では、付加後処置データ記憶部の処置データを現在から過去に遡って読み込み、歯周治療の分類が「３ＳＣ（スケーリング）」の処置データが最初に検出され、当該処置データから初診の処置データまでの間に歯周治療の分類が「１検査」の処置データが１件のみ存在する場合、現在の治療項目は「スケーリング」であると判別する。そして、「初診」および「検査１」の図形を過去の治療項目の色（例えばピンク）に、「スケーリング」の図形を現在の治療項目の色（例えばオレンジ）に、「検査２」の図形を次に進むことができる治療項目の色（例えばホワイト）に、「再スケーリング」以下の全ての図形を次に進むことができない治療項目の色（例えばグレー）に決定し、着色する。
【００４７】
また、パターン４では、付加後処置データ記憶部の処置データを現在から過去に遡って読み込み、歯周治療の分類が「１検査」の処置データが最初に検出され、当該処置データから初診の処置データまでの間に歯周治療の分類が「１検査」の他の処置データがさらに検出され、最初の「１検査」の処置データと他の「１検査」の処置データとの間に、歯周治療の分類が「３ＳＣ」の処置データが存在する場合、現在の治療項目は「検査２」であると判別する。そして、「初診」から「スケーリング」までの図形を過去の治療項目の色（例えばピンク）に、「検査２」の図形を現在の治療項目の色（例えばオレンジ）に、「再スケーリング」および「ＳＲＰ・ＰＣｕｒ」の図形を次に進むことができる治療項目の色（例えばホワイト）に、「検査３」以下の全ての図形を次に進むことができない治療項目の色（例えばグレー）に決定し、着色する。
【００４８】
パターン５からパターン１３の表示条件についても、図７から図１１の表示条件テーブルに記載されているとおりである。なお、パターン１からパターン１３のいずれの表示条件にも該当しない場合、全ての治療項目の図形を所定の色（例えば「グレー」）に決定する。
【００４９】
そして、フロー生成部１２は、基本フローチャートの「初診」、「検査１」から「検査４」、「部分的再評価１」、「部分的再評価２」および「ＳＰＴ」の各図形については、これらの図形が、Ｓ１３で過去の治療項目または現在の治療項目であると判別された場合、日付けおよび検査値を図形に設定する（Ｓ１４）。
【００５０】
検査値は、次の治療項目（治療段階）に進むか否かを歯科医師が判断するために必要な歯周検査値であって、図２および図３に示する例では、ＰＣＲ、ＥＰＰおよび出血点とする。検査値は、検査情報記憶部１６に記憶されており、処置データと、検査情報記憶部１６に記憶された検査値とは、患者コード、日付けなどにより紐付け（対応付け）られている。
【００５１】
なお、ＰＲＣ（プラークコントロールレコード）は、磨き残しを％で表示するものであり、検査情報記憶部１６から取得したＰＲＣ値（％）をそのまま設定する。ＥＰＰは、ポケットの深さを表し、取得したＥＰＰ値のうち１つでも４ｍｍ以上のＥＰＰ値が存在する場合は（＋）を設定し、４ｍｍ以上のＥＰＰ値が１つも存在しない場合は（−）を設定する。出血点については、出血点が１つでも存在する場合は（＋）を設定し、出血点が１つも存在しない場合は（−）を設定する。
【００５２】
具体的には、「初診」の図形については、フロー生成部１２は、付加後処置データ記憶部の中から、最新の初診の治療データの日付けを設定する。
【００５３】
「検査１」の図形については、フロー生成部１２は、付加後処置データ記憶部を初診の処置データから現在に向かって分類「３ＳＣ」の処置データが検出されるまで検索し、その中で最新の日付けの分類「１検査」の処置データに対応する検索値（ＰＣＲ、ＥＰＰ、出血点）を検査情報記憶部１６から取得し、当該処置データの日付けとともに「検査１」の図形に設定する。
【００５４】
「検査２」の図形については、フロー生成部１２は、付加後処置データ記憶部を初診の処置データから現在に向かって検索し、「１検査」の処置データおよび分類「３ＳＣ」の処置データを検出した後、分類「４ＳＲＰ・ＰＣｕｒ」の処置データが検出されるまで間で最新の日付けの分類「１検査」の処置データに対応する検索値（ＰＣＲ、ＥＰＰ、出血点）を検査情報記憶部１６から取得し、当該処置データの日付けとともに「検査２」の図形に設定する。
【００５５】
「検査３」の図形については、フロー生成部１２は、付加後処置データ記憶部を初診の処置データから現在に向かって検索し、分類「４ＳＲＰ・ＰＣｕｒ」の処置データを検出してから分類「２部分的再評価」、「５歯周外科」または「６ＳＰＴ」の処置データが検出されるまで間で最新の日付けの分類「１検査」の処置データに対応する検索値（ＰＣＲ、ＥＰＰ、出血点）を検査情報記憶部１６から取得し、当該処置データの日付けとともに「検査３」の図形に設定する。
【００５６】
「検査４」の図形については、フロー生成部１２は、付加後処置データ記憶部を初診の処置データから現在に向かって検索し、分類「２部分的再評価」、「５歯周外科」または「６ＳＰＴ」の処置データを検出した後の最新の日付けの分類「１検査」の処置データに対応する検索値（ＰＣＲ、ＥＰＰ、出血点）を検査情報記憶部１６から取得し、当該処置データの日付けとともに「検査４」の図形に設定する。
【００５７】
「部分的再評価１」の図形については、フロー生成部１２は、付加後処置データ記憶部を初診の処置データから現在に向かって検索し、分類「４ＳＲＰ・ＰＣｕｒ」の処置データを検出してから分類「５歯周外科」または「１検査」の処置データが検出されるまで間で最新の日付けの分類「２部分的再評価」の処置データに対応する検索値（ＥＰＰ、出血点）を検査情報記憶部１６から取得し、当該処置データの日付けとともに「部分的再評価１」の図形に設定する。
【００５８】
「部分的再評価２」の図形については、フロー生成部１２は、付加後処置データ記憶部を初診の処置データから現在に向かって検索し、分類「５歯周外科」の処置データを検出してから「１検査」の処置データが検出されるまで間で最新の日付けの分類「２部分的再評価」の処置データに対応する検索値（ＥＰＰ、出血点）を検査情報記憶部１６から取得し、当該処置データの日付けとともに「部分的再評価２」の図形に設定する。
【００５９】
「ＳＰＴ」の図形については、フロー生成部１２は、付加後処置データ記憶部を初診の処置データから現在に向かって検索し、最新の日付けの分類「６ＳＰＴ」の処置データの日付けを「ＳＰＴ」の図形に設定する。
【００６０】
なお、上述した検査値が設定された図形をクリックした場合、フロー生成部１２は、詳細な検査情報を検査情報記憶部１６から取得し、図１２に示すような検査情報を画面上に表示するものとする。
【００６１】
そして、フロー生成部１２は、基本フローチャートの「スケーリング」、「再スケーリング」、「ＳＲＰ・ＰＣｕｒ」および「外科手術」の各図形については、これらの図形が、Ｓ１３で過去の治療項目または現在の治療項目であると判別された場合、処置データの部位を参照して治療を行った部位を当該図形に設定する（Ｓ１５）。図１３は、基本フローチャートの「スケーリング」の治療を行った部位の表示例である。
【００６２】
なお、「スケーリング」については、「検査１」と「検査２」の間に存在する付加後処置データ記憶部の処置データであって、分類「３ＳＣ」の処置データの部位を合体したものである。「再スケーリング」については、「検査２」と「検査３」の間に存在する付加後処置データ記憶部の処置データであって、分類「３ＳＣ」の処置データの部位を合体したものである。「ＳＲＰ・ＰＣｕｒ」については、「検査２」と「検査３」の間に存在する付加後処置データ記憶部の処置データであって、分類「４ＳＲＰ・ＰＣｕｒ」の処置データの部位をＳＲＰ毎、ＰＣｕｒ毎に合体したものである。「再ＳＲＰ・ＰＣｕｒ」については、「検査３」と「検査４」の間に存在する付加後処置データ記憶部の処置データであって、分類「４ＳＲＰ・ＰＣｕｒ」の処置データの部位をＳＲＰ毎、ＰＣｕｒ毎に合体したものである。「外科手術」については、「検査３」の以降の付加後処置データ記憶部の処置データであって、分類「５歯周外科」の最新の処置データの部位である。
【００６３】
以上説明した本実施形態の歯周治療支援システム１では、処置データ記憶部１５および変換テーブル１７を用いて、歯周治療の流れのフローチャートの各図形を色付けするなどして、患者の歯周治療が現在どの段階にあるのかを視覚的に把握できるようにする。これにより、歯科医師は、診療前に歯周治療がどの段階まで進んでいるかを容易に短時間で把握することができ、これに基づいて今後の歯周治療の方針を決定することができる。すなわち、本実施形態の歯周治療支援システム１は、患者の治療状態に応じた歯周治療のフローチャートを生成し、歯科医師の治療治療を支援することができる。
【００６４】
また、本実施形態では、歯周治療の流れのフローチャートと、直近の歯周治療に関する治療内容とを１つの画面で表示することにより、歯周治療がどの段階まで進んでいるかだけでなく、前回の歯周治療の内容を把握できるため、迅速に今回の治療内容を決定することができる。
【００６５】
また、本実施形態では、歯周治療の流れのフローチャートにおける「検査」の図形に、過去に行った歯周検査の検査値を設定することで、次の治療項目（治療段階）に進むか否かの判断に役立てることができる。
【００６６】
以上、本発明の実施の形態について説明してきたが、本発明の要旨を逸脱しない範囲において、本発明の実施の形態に対して種々の変形や変更を施すことができる。例えば、上記実施形態では、図３に示すように、フロー生成部１２が生成したフローチャート３２と、治療情報生成部１１が生成した治療情報３１とを１つの画面で表示することとしたが、フロー生成部１２が生成したフローチャート３２のみを画面に表示することとしてもよい。
【００６７】
また、図１４に示すように、図３に示すフローチャート３２の部分を、フローチャートだけでなく日付けと治療内容と示す部分とに分けて表示することとしても良い。フローチャートの部分については、上記実施形態と同様に処置データに基づいて、現在の治療項目等を判別して着色する。そして、日付けと治療内容と示す部分についても、フローチャートと同様に着色するものとする。例えば現在の治療項目が「スケーリング」の場合、フローチャートおよび日付けと治療内容と示す部分の「スケーリング」を例えばオレンジで着色し、フローチャートおよび日付けと治療内容と示す部分の「基本治療」を例えばピンクで着色する。
【符号の説明】
【００６８】
１    歯科治療支援システム
１１  治療情報生成部
１２  フロー生成部
１３  表示部
１５  処置データ記憶部
１６  検査情報記憶部
１７  変換テーブル
１８  表示条件テーブル
１９  基本フロー記憶部
【図１】
0005683188.tif 000002
【図２】
0005683188.tif 000003
【図３】
0005683188.tif 000004
【図４】
0005683188.tif 000005
【図５】
0005683188.tif 000006
【図６】
0005683188.tif 000007
【図７】
0005683188.tif 000008
【図８】
0005683188.tif 000009
【図９】
0005683188.tif 000010
【図１０】
0005683188.tif 000011
【図１１】
0005683188.tif 000012
【図１２】
0005683188.tif 000013
【図１３】
0005683188.tif 000014
【図１４】
0005683188.tif 000015